(57)【要約】【課題】  複層ガラスに於いて、視界機能面、意匠面で、各需要者の希望に応えられる窓の提供を可能とする。【解決手段】  左右の縦スペーサー部材３ａと、上下の横スペーサー部材３ｂとをコーナーキー５で接合した方形スペーサー枠体３の上面と下面、板ガラス２を張設した複層ガラスに於いて、下端の横格子部材１１ｂを、スペーサー枠体３の上下中間部適所に差渡し固定し、下端の横格子部材１１ｂから、上方を格子入り、下方を格子無しとし、窓の上半では、従来の視界機能を、窓の下半では眺望の拡開化を図る、斬新なデザインとする。【選択図】    図１
0003131699.tif 000002
【実用新案登録請求の範囲】
【請求項１】
左右の縦スペーサー部材（３ａ）と、上下の横スペーサー部材（３ｂ）とを、コーナーキー（５）で接合した方形スペーサー枠体（３）の上面と下面に、板ガラス（２）を張設した複層ガラスであって、左右の縦スペーサー部材（３ａ）の中間の対称位置に、下端の横格子部材（１１ｂ）を差渡し支持し、下端の横格子部材（１１ｂ）を含む格子（１１）を、上面と下面の板ガラス（２）の密閉空間内に配置した、格子入り複層ガラス。
【請求項２】
縦横スペーサー部材（３ａ，３ｂ）が中空角材であって、乾燥材（３０）を内封すると共に、内周面（ｆ３）に貫通孔（３Ｃ）群を備え、上面及び下面の板ガラス（２）と格子（１１）の上下面間が０．５〜１．５mmの空隙を備えた請求項１の複層ガラス。
【請求項３】
下端の横格子部材（１１ｂ）は、左右の縦スペーサー部材（３ａ）の内面に穿孔した取付孔（ｈ６）に、ブラインドリベット（６）を介して取付けた、請求項１又は２の複層ガラス。
【考案の詳細な説明】
【技術分野】
【０００１】
本考案は、窓やドアの一部を構成する複層ガラスに於ける板ガラスで挟まれた空気層内に、格子を視界が開けるように配置した格子入り複層ガラスに関するものであり、建築の技術分野に属するものである。
【背景技術】
【０００２】
従来、格子を嵌めたスペーサー部材の枠体の表裏に２枚の板ガラスを張設し、２枚の板ガラス内を密閉空間とした複層ガラスは、断熱性、遮音性、結露防止性に優れているため、省エネルギー住宅用として多用されている。
図６は、特許文献１として挙げた複層ガラスである。
即ち、従来（図６）の複層ガラスは、図６（Ａ）に示す如く、スペーサー部材の枠体内に、格子の上下左右を当接止着し、格子を配置したスペーサー枠体の表面（上面）と裏面（下面）とに板ガラスを張着したものである。
【０００３】
そして、格子は、縦材と横材とで構成し、格子のスペーサー枠体への取付けは、図６（Ｃ）に示す如く、スペーサー部材の内面に弾性係止片を取付け、該弾性係止片に、格子の中空格子部材端部を嵌入係止している。
そして、図６（Ｂ）に示す如く、各スペーサー部材の内部には、複層ガラス内を乾燥状態に維持するための乾燥材を装填し、板ガラスを表裏両側からスペーサー枠体に、一次シーリングで接着し、板ガラス端縁とスペーサー枠体との空間に、二次シーリングを付与して複層ガラスとし、且つ、複層ガラスの全周縁に特殊テープを張着したものである。
【特許文献１】実開昭５７−１４３２２８号公報
【考案の開示】
【考案が解決しようとする課題】
【０００４】
従来例（図６）の複層ガラスを含む、現在実用化されている複層ガラスは、全て、複層ガラス内の格子が、スペーサー枠体内で、縦材が上から下まで、横材も左から右まで、差渡し状に構成されている。
従って、複層ガラスを装着した窓を透して室内から外部を見る際には、窓の枠体が邪魔になるため、窓に近接して外部を見る必要があり、室内からの、椅子に座ったままでの外景は格子による制約を受ける。
また、外部からの窓に対する景観も、枠体に対する彩色による変化は出来るが、小寸の板ガラスを多数嵌め込んだ窓として認識され、外観上、満足出来ないものであった。
本考案は、格子の最下端の横格子部材が窓の上下途中になるように配置し、最下端の横格子部材で格子の縦格子部材の下端を支承する形態とし、従来の複層ガラスでは得られなかった、斬新で機能美に富み、且つ、室内からの視野の広い外景が得られるような、複層ガラス使用窓の提供を可能とするものである。
【課題を解決するための手段】
【０００５】
本考案は、例えば図１に示す如く、左右の縦スペーサー部材３ａと、上下の横スペーサー部材３ｂとを、コーナーキー５で接合した方形スペーサー枠体３の上面と下面に、板ガラス２を張設した複層ガラスであって、左右の縦スペーサー部材３ａの中間の対称位置に、下端の横格子部材１１ｂを差渡し支持し、下端の横格子部材１１ｂを含む格子１１を、上面と下面の板ガラス２の密閉空間内に配置した、格子入り複層ガラスである。
この場合、格子１１とは、複層ガラス内に配置された縦格子部材１１ａと、横格子部材１１ｂとが一体化された組み部材の総称であり、例えば、図１や図５（Ｃ）に示す如く、１本の横格子部材１１ｂに、１本又は２本の縦格子部材１１ａを接続した形態をも含むものである。
また、下端の横格子部材１１ｂを支持する縦スペーサー部材３ａの「中間の対称位置」とは、例えば図６の（Ｂ），（Ｃ）の如く、「下端では無い中間部」の左右対称位置の意味である。
【０００６】
従って、本考案の複層ガラスは、図１に示す如く、下端の横格子部材１１ｂから下部は、もはや視界を邪魔する格子部材が存在しないため、本考案の複層ガラスで構成した窓は、従来の複層ガラス同様、断熱性、遮音性、結露防止性を備えた上に、下端横格子部材１１ｂから下部では、板ガラス２の全幅に亘る広い視界が得られ、室内外からの外観も、斬新な機能美に富む意匠効果が得られる。
そして、最下端の横格子部材１１ｂも、需要者の所望によって適宜位置とすることが出来るため、視界機能、外観デザインが自在に選定出来、従来の複層ガラスの、小寸板ガラスの張り継いだイメージを一新した、斬新な複層ガラス窓の提供を可能とする。
【０００７】
また、本考案の格子入り複層ガラスは、縦横スペーサー部材３ａ，３ｂが中空角材であって、乾燥材３０を内封すると共に、内周面ｆ３に貫通孔３Ｃ群を備え、上面及び下面の板ガラス２と格子１１の上下面間が０．５〜１．５mmの空隙を備えているのが好ましい。
この場合、標準縦横スペーサー部材３ａ，３ｂは、アルミニウム中空押出成形材で幅Ｗ３は１２mmであり、板ガラス２を接着する一次シーリング層を、幅Ｗ３を側面とする上面及び下面に塗布するため、縦横格子部材１１ａ，１１ｂを標準外寸：厚さ１０mm×幅２０mmとすれば、設計上は、板ガラス２と格子１１との上下各空隙は、１mm前後となる。
また、貫通孔３Ｃ群は、図１の如く、スペーサー内面ｆ３に、全長に亘ってピンホール形態で配置すれば良い。
また、乾燥材３０としては、それ自体慣用の、球状のゼオライトを用いれば良い。
従って、外枠としての各スペーサー部材３ａ，３ｂ内封の乾燥材３０が、貫通孔３Ｃ群を介して複層ガラス内の密閉空間の乾燥状態を維持し、板ガラス２面と各格子部材１１ａ，１１ｂとの空隙（標準：１mm）は、最下端の横格子部材１１ｂの、下部の空間と、上部の格子内在部との空気の乾燥状態の平準化を維持し、内面の部分結露を抑制する。
【０００８】
また、本考案の格子入り複層ガラスにあっては、下端の横格子部材１１ｂは、左右の縦スペーサー部材３ａの内面に穿孔した取付孔ｈ６に、ブラインドリベット６を介して取付けるのが好ましい。
この場合、押出成形中空アルミのスペーサー部材３ａには、取付孔ｈ６はドリルで穿孔すれば良く、下端の横格子部材１１ｂ以外の、図１の縦格子部材１１ａ、或いは、図５（Ａ），（Ｂ）等の中間横格子部材１１ｂ等、スペーサー部材３ａ，３ｂとの当接取付部も、同様に、取付孔ｈ６を穿設して、ブラインドリベット６で取付ければ良い。
従って、最下端の横格子部材１１ｂが縦スペーサー部材３ａに、簡単且つ強固に支持されるため、縦格子部材１１ａが強固に支承出来、格子１１は、複層ガラスの上半での保持であるにも関わらず、従来の、図６（Ａ）に示す、縦格子部材の下端を必ず下端のスペーサー部材で支承したものと、同等の強度での保持となる。
【考案の効果】
【０００９】
本考案の格子入り複層ガラスは、格子を上半分のみに封入した形態となるため、従来の複層ガラスを組み込んだ窓では得られない、斬新で、機能的なデザインの窓が得られ、室内側からの眺望は、窓辺に近寄らなくても開けたものとなる。
しかも、需要者の好みに応じて、眺望の拡開形態も自在と出来る。
そして、斬新なデザインの窓でありながら、従来の全面格子の複層ガラス同様の、断熱性、遮音性、結露防止性に富む、二重ガラス窓が得られる。
【考案を実施するための最良の形態】
【００１０】
〔全体形状（図１）〕
図１は、本考案の実施によって得られた格子入り複層ガラスの全体斜視図であり、板ガラス２は縦１９０mm、横１９０mmであって、格子は、スペーサー枠体３の中間で支承した下端横格子部材１１ｂに縦格子部材１１ａが中央で１本支承された構造である。
そして、下端横格子部材１１ｂの両端、及び中央の縦格子部材１１ａのスペーサー部材３ａ，３ｂとの当接部は、ブラインドリベット６（図３）で強固に支承され、外周縁は、表裏両面の板ガラス２間にコーキング（二次シーリング）４ｂによって平坦に仕上げたものである。
【００１１】
〔枠体３の構築（図３）〕
図３は、枠体の組立て説明図であり、スペーサー部材としては、一般肉厚０．４mmのアルミニウム押出成形で、幅Ｗ３（標準：１２mm）の角パイプ材を用意し、縦横１９０mmの板ガラス用として、長さ１７０mmに切断して、縦スペーサー部材３ａ、及び横スペーサー部材３ｂを準備する。
尚、スペーサー部材３ａ，３ｂの内周面ｆ３には、全長に亘り微細貫通孔（ピンホール）３Ｃ群を穿設しておく。
また、図３に示す如く、両側の縦スペーサー部材３ａの長さ中央位置、及び上側の横スペーサー部材３ｂの長さ中央位置には、ブラインドリベット６を嵌着するための取付孔ｈ６（標準：２．６mm）をドリルで穿設しておく。
【００１２】
また、格子材としては、厚さ１０mm、幅２０mmで、所望の意匠断面形状を備えた形状に、ポリ塩化ビニル樹脂の押出成形で準備し、横格子部材１１ｂとしては、完成枠体３の左右スペーサー部材３ａ間に差渡し当接する寸法とし、中央部一側面には、両側にテーパー面を備えた当接用の切欠きＣ１１を切削加工し、縦格子部材１１ａとしては、完成枠体３の横格子部材１１ｂと横スペーサー部材３ｂ間に差渡し配置出来る寸法とし、一端には、両側にテーパー面ｔ１１を備えた当接用の突出部Ｐ１１を形成する。
【００１３】
枠体（スペーサー枠体）３の組立ては、横格子部材１１ｂの切欠きＣ１１に、縦格子部材１１ａの突出部Ｐ１１を嵌合して、接着剤で固定して、Ｔ字型の格子１１とし、各木口ｅ１１には嵌入孔ｈ１１を穿設しておく。
また、図３に示す如く、両側の縦スペーサー部材３ａ及び上側の横スペーサー部材３ｂには中央の取付孔ｈ６を介してブラインドリベット６を取付け、Ｔ字型格子１１の各木口ｅ１１の嵌入孔ｈ１１へのブラインドリベット６の嵌入により、スペーサー部材３ａ，３ｂと格子１１とを接続固定する。
また、上下、左右４本の、等寸の各スペーサー部材３ａ，３ｂの中空部Ｏ内には、球状の合成ゼオライトを乾燥材３０として装填し、各スペーサー部材３ａ，３ｂを、慣用のコーナーキー５によって接合して、格子１１を備えたスペーサー枠体３とする。
【００１４】
〔複層ガラスの組立て（図４）〕
図４は、スペーサー枠体３を用いた複層ガラスの組立て説明図であって、準備したスペーサー枠体３を構成する縦スペーサー部材３ａ、及び横スペーサー部材３ｂの上面、及び下面の全長に亘り、接着用の一次シーリング４ａを塗布し、枠体３の上面及び下面に、同一形状の板ガラス２を貼着一体化する。
この場合、上下両面の板ガラス２間寸法は、各スペーサー部材３ａ，３ｂの幅Ｗ３（標準：１２mm）＋一次シーリング４ａの上側及び下側の厚さ（標準：０．３mm×２）となり、格子１１の厚さ（標準：１０mm）より若干（１〜３mm）厚くなり、各格子部材１１ａ，１１ｂの、上下面ｆ１１と板ガラス２面とに０．５〜１．５mm（標準：１mm）の空隙が出来る。
次いで、図２に示す如く、外周の、上下両板ガラス２間と枠体３、即ち、縦横スペーサー部材３ａ，３ｂ間に、二次シーリング４ｂを充填塗装すれば、格子入り複層ガラスとなる。
【００１５】
〔その他〕
図５は、本考案の変形実施例で得られる、各格子入り複層ガラスを用いた窓であって、（Ａ）は窓の上半１／２に格子を入れたもの、（Ｂ）は上半１／３に格子を入れたもの、（Ｃ）は上半の１／６に格子を入れたものである。
本考案を実施した複層ガラス窓は、最下端の横格子部材１１ｂの下方は、板ガラスのみで視界が開け、窓の格子入り部は、室内側から近接して外を見れば外が見えるが、戸外から室内は見辛い。
即ち、本考案の格子入り複層ガラスは、需要者の希望に沿って、斬新なデザイン、及び透視眺望面で、満足して頂ける窓の提供が可能となる。
【図面の簡単な説明】
【００１６】
【図１】本考案の複層ガラスの全体斜視図である。
【図２】図１のＸ−Ｘ断面斜視図である。
【図３】本考案の枠体の構築説明図である。
【図４】本考案の複層ガラス組立て説明図である。
【図５】本考案の変形例を窓に適用した図であって、（Ａ）は窓の上半１／２に格子を入れたもの、（Ｂ）は窓の上半１／３に格子を入れたもの、（Ｃ）は窓の上半１／６に格子を入れたものである。
【図６】従来例説明図であって、（Ａ）は複層ガラス全体平面図、（Ｂ）は、拡大断面斜視図、（Ｃ）は格子材の取付け説明図である。
【符号の説明】
【００１７】
１      複層ガラス（格子入り複層ガラス）
２      板ガラス
３      スペーサー枠（枠体、スペーサー枠体）
３ａ    縦スペーサー部材（スペーサー部材）
３ｂ    横スペーサー部材（スペーサー部材）
３Ｃ    貫通孔（ピンホール）
４ａ    一次シーリング
４ｂ    二次シーリング
５      コーナーキー
６      ブラインドリベット
１１    格子
１１ａ  縦格子部材（格子部材）
１１ｂ  横格子部材（格子部材）
３０    乾燥材
Ｃ１１  切欠き
ｅ１１  木口
ｆ３    内周面
ｆ１１  上（下）面
ｈ６    取付孔
ｈ１１  嵌入孔
Ｏ      中空部
Ｐ１１  突出部
ｔ１１  テーパー面
【図１】
0003131699.tif 000003
【図２】
0003131699.tif 000004
【図３】
0003131699.tif 000005
【図４】
0003131699.tif 000006
【図５】
0003131699.tif 000007
【図６】
0003131699.tif 000008